(57)【要約】【課題】遊技盤を遊技機前面ユニットに遊技機の前方から嵌合する遊技盤交換に際して、同時にコネクタを円滑に接続する。【解決手段】遊技機前面ユニット２３から遊技盤６１を取り外すことができる遊技機１０であって、遊技盤６１の裏面に取り付けられた、少なくとも遊技機に関する信号の中継を行う信号中継回路が構成されたターミナル基板の配線用の遊技盤側のコネクタ２３０１と、この遊技盤側のコネクタ２３０１に接続される遊技機前面ユニットに取り付けられた遊技機前面ユニット側のコネクタ２３０２と、を備え、遊技盤側又は遊技機前面ユニット側の何れか一方のコネクタは、所定方向への位置ずれを吸収し得るように、コネクタが装着される保持穴２３０８を開けたコネクタ保持板２３０６を介在して遊技盤又は遊技機前面ユニットに取り付けられる構成である。【選択図】図１２
2018153687.tif 000002
【特許請求の範囲】
【請求項１】
遊技機前面ユニットから遊技盤を取り外すことができる遊技機であって、
前記遊技盤の裏面に取り付けられた、少なくとも遊技機に関する信号の中継を行う信号中継回路が構成されたターミナル基板の配線用の遊技盤側のコネクタと、
前記遊技盤側のコネクタに接続される前記遊技機前面ユニットに取り付けられた遊技機前面ユニット側のコネクタと、を備え、
前記遊技盤側又は遊技機前面ユニット側の何れか一方のコネクタは、所定方向への位置ずれを吸収し得るように、該コネクタが装着される保持穴を開けたコネクタ保持板を介在して該遊技盤又は該遊技機前面ユニットに取り付けられた、ことを特徴とする遊技機。
【発明の詳細な説明】
【技術分野】
【０００１】
本発明は、パチンコ機、スロットマシンあるいはメダルの代わりに遊技球でスロットマシンの遊技をするパロット等の遊技機に関する。
【背景技術】
【０００２】
遊技機例えばパチンコ機を新台に交換する際に、遊技機全体を島の枠構造から取外すのではなく、遊技盤のみを外して交換する構造の遊技機がある。これは遊技盤を交換する際に、例えば遊技機の前方からこの遊技盤を遊技機前面ユニットに嵌合する構成になっているものがある。このような交換作業の容易な遊技機について、例えば特許文献１の特開平９−７１４公報「遊技機」が提案されている。
【０００３】
このような遊技盤のみを交換する遊技機について、コネクタを接続する際には、一旦交換した遊技盤はその側方のヒンジ構造を回動中心にして開け、個々にコネクタを接続していた。このような交換作業では、遊技盤の嵌合作業とコネクタの接続作業と２段階の作業が必要であり、遊技盤のみを遊技機の前方から交換する交換作業であっても作業全体の時間を短縮できなかった。
【０００４】
更に、遊技機の交換に際して、遊技機の前方から遊技盤をこの遊技機前面ユニットに嵌合すると同時にコネクタも接続することができる構成も提案されている。
【先行技術文献】
【特許文献】
【０００５】
【特許文献１】特開平９−７１４
【発明の概要】
【発明が解決しようとする課題】
【０００６】
しかし、遊技盤の交換に際して、この遊技盤を遊技機前面ユニットに嵌合しやすいように、遊技機前面ユニットの側方に、遊技盤の側方を合わせる、いわゆる「位置決め」をしてから嵌合する必要がある。または前面ユニットの下部で「位置決め」をするように、遊技盤を下方へ落とし込むように嵌合する構造のものがある。遊技盤に取り付けられたコネクタを、遊技機前面ユニットに取り付けられたコネクタに差し込む際に位置ずれがあると嵌合接続をすることができないことがあった。
【０００７】
そのために、例えば差し込む側のコネクタは尖った形状に、差し込まれる側のコネクタはロート形状にしたいわゆる「誘い込み構造」を設ける必要があった。それぞれ遊技盤のコネクタも差し込まれる遊技機前面ユニット側のコネクタ（レセプタクル）にも誘い込み構造を設ける必要があった。
【０００８】
本発明は、上述した問題点等を解決するために創案されたものである。すなわち、本発明の目的は、遊技盤を遊技機前面ユニットに遊技機の前方から嵌合する遊技盤の交換に際して、同時にコネクタを円滑に接続することができる遊技機を提供することにある。
【課題を解決するための手段】
【０００９】
本発明は、遊技機前面ユニットから遊技盤を取り外すことができる遊技機であって、前記遊技盤の裏面に取り付けられた、少なくとも遊技機に関する信号の中継を行う信号中継回路が構成されたターミナル基板の配線用の遊技盤側のコネクタと、前記遊技盤側のコネクタに接続される前記遊技機前面ユニットに取り付けられた遊技機前面ユニット側のコネクタと、を備え、前記遊技盤側又は遊技機前面ユニット側の何れか一方のコネクタは、所定方向への位置ずれを吸収し得るように、該コネクタが装着される保持穴を開けたコネクタ保持板を介在して該遊技盤又は該遊技機前面ユニットに取り付けられた、ことを特徴とする。
【発明の効果】
【００１０】
上記構成の発明では、遊技機前面ユニットから遊技盤を取り外すことができる遊技機について、遊技盤を遊技機前面ユニットに遊技機の前方から嵌合すると同時にコネクタを円滑に接続することができる。
【図面の簡単な説明】
【００１１】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１のコネクタ接続構造を構成するコネクタ保持板によりコネクタを接続する状態を示す説明平面図である。
【図１２】実施例１のコネクタ接続構造を構成するコネクタを示す拡大正面図である。
【図１３】実施例１のコネクタ接続構造を構成するコネクタを示す拡大平面図である。
【図１４】実施例１のコネクタ保持板に２個のコネクタを装着した状態を示す正面図である。
【図１５】実施例１のコネクタ保持板を示す平面図である。
【図１６】実施例１のコネクタ保持板を示す底面図である。
【図１７】コネクタをコネクタ保持板へ装着する状態を示す拡大断面図であり、（ａ）は装着前の状態、（ｂ）は装着中の状態、（ｃ）は可撓性爪部を押し曲げている状態、（ｄ）は装着後の状態である。
【図１８】コネクタをコネクタ保持板から取り外す状態を示す拡大断面図であり、（ａ）は取り外す前の状態、（ｂ）は取り外し中の状態、（ｃ）は取り外し後の状態である。
【図１９】遊技盤の側方で「位置決め」をしてから嵌合する場合に、コネクタ保持板に装着したコネクタをレセプタクルに接続する状態を示す拡大平面図である。
【図２０】遊技盤の下部で「位置決め」をしてから嵌合する場合に、コネクタ保持板に装着したコネクタがレセプタクルに接続する状態を示す拡大側面図である。
【００１２】
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。
図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。本発明は、この外枠１１と遊技機主部２１とが着脱自在に分離する構造になっている。
【００１３】
＜遊技機１０の全体構成＞
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１４】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１５】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１６】
遊技機主部２１は、図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機前面ユニット２３には、手前側へ膨出した第１膨出部９５が窓パネル部９１の下方に設けられており、その第１膨出部９５内側には、上方に開口した上皿９５ａが設けられている。上皿９５ａは、第１払出口２３１より払い出された遊技球を一旦貯留し、一列に整列させながら下流側（本実施の形態では右側）へ導くための球受皿である。
【００１８】
第１膨出部９５には、上皿９５ａの下流側に上皿球抜きスイッチ２３２が設けられると共に、上皿９５ａの前方に貸球操作部２３３が配設されている。上皿球抜きスイッチ２３２は、上皿９５ａに貯留された遊技球を排出するために操作されるものである。
【００１９】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。
【００２０】
また、第１膨出部９５の前面側中央部には、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００２１】
遊技機前面ユニット２３の下部位置には、手前側へ膨出した第２膨出部９６が設けられており、その第２膨出部９６内側には、上方に開口した下皿９６ａが設けられている。下皿９６ａは、第２払出口２３７より払い出された遊技球を一旦貯留するための球受皿である。下皿９６ａには、例えば下皿球抜きスイッチ２３３を操作された場合、上皿９５ａに貯留された遊技球が第２払出口２３７より排出されるようになっている。
【００２２】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００２３】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００２４】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２５】
次に、遊技機ベースユニット２２、遊技機前面ユニット２３及び裏パックユニット２４のそれぞれについて詳細に説明する。
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００２６】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２７】
遊技盤６１は合板より成り、遊技盤６１の前面に形成された遊技領域が樹脂ベース４１の窓孔５１を通じて遊技機ベースユニット２２の前面側に露出した状態となっている。
【００２８】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００２９】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００３０】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００３１】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００３２】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００３３】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００３４】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３５】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３６】
遊技盤６１には、内レール部７７と外レール部７８とが取り付けられており、これら内レール部７７と外レール部７８とにより誘導レールが構成され、遊技球発射機構から発射された遊技球が遊技領域の上部に案内されるようになっている。ちなみに、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３７】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００３８】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３９】
＜遊技機前面ユニット２３＞
ここで、遊技機前面ユニット２３の構成について説明する。図８は遊技機前面ユニット２３の背面図である。
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００４０】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００４１】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４２】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００４３】
＜遊技機ベースユニット２２の背面構成＞
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００４４】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４５】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４６】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられていると共に、取付台１０６に対する主制御装置１０７の離脱痕跡手段としてカシメ構造が設けられている。
【００４７】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００４８】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４９】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００５０】
＜裏パックユニット２４＞
次に、裏パックユニット２４の構成について詳細に説明する。図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５１】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５２】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５３】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５４】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５５】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５６】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５７】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５８】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５９】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６０】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６１】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６２】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６３】
図１１は実施例１のコネクタ接続構造を構成するコネクタ保持板２３０６によりコネクタ２３０１を接続する状態を示す説明平面図である。
本発明の遊技機１０は、遊技機１０の交換に際して、この遊技機１０に向かって遊技盤６１を遊技機前面ユニット２３に前方から嵌合することができる構成である。この遊技盤６１を遊技機前面ユニット２３に前方から嵌合する際に、同時に遊技盤６１側のコネクタ２３０１と遊技機前面ユニット２３側のレセプタクル２３０２（コネクタ）を同時に接続するようになる。
【００６４】
これらのコネクタ２３０１を接続する際には、図１１に示すように、遊技盤１０の交換に際して、この遊技盤６１を遊技機前面ユニット２３に嵌合しやすいように、遊技機前面ユニット２３の側方に、遊技盤６１の側方を合わせる、いわゆる「位置決め」をしてから嵌合する。そこで、本発明の遊技機１０は、多少の芯位置のずれがあっても遊技機１０の交換作業に手間がかからず迅速に交換できるように、そのずれを容易に吸収して適切な位置でコネクタ２３０１を接続できる構成にした。
【００６５】
＜コネクタの構造＞
図１２は実施例１のコネクタ接続構造を構成するコネクタ２３０１を示す拡大正面図である。図１３は実施例１のコネクタ接続構造を構成するコネクタ２３０１を示す拡大平面図である。
本発明のコネクタ接続構造を構成するコネクタ２３０１は、略直方体形状のプラグ本体２３０３と、レセプタクル２３０２に接続されるプラグターミナル２３０４とを備え、このプラグターミナル２３０４の他端に電線等のハーネス２３０５を接続した部品である。本発明のコネクタ接続構造は、このコネクタ２３０１をコネクタ保持板２３０６に装着して、レセプタクル２３０２側に差し込む際にその位置ずれを吸収して適切な位置で嵌合接続できるようになっている。そこで、本発明のコネクタ接続構造を構成するコネクタ２３０１には、プラグ本体２３０３の周囲におけるハーネス２３０５の接続側に抜け止め片等が数か所形成されている。これらの抜け止め片は後述するコネクタ保持板２３０６の保持穴２３０８の周縁に引っ掛かることで、抜け止め作用を奏する。
【００６６】
更に、このコネクタ２３０１には、その接続後に偶発的に抜けないようにするためのロック機能を有し、抜去時にロック解除動作を必要とするポジティブロック、偶発的にロック解除用バーに引っ掛けたり、押し付けたりすることにより、ロック部が破損することを抑制するための部分ロック保護壁、更に左右に配置されたポジティブロックを同時に解除するための連結部分になるロック解除用バーを備えることも可能である。
【００６７】
＜コネクタ２３０１の第１抜け止め片２３０７＞
コネクタ２３０１は、そのハーネス２３０５が接続されているプラグ本体２３０３であって、その短辺側に、第１抜け止め片２３０７を形成している。第１抜け止め片２３０７は、コネクタ２３０１の差し込む方向に向かってコネクタ保持板２３０６に開けた保持穴２３０８の周縁に接するようになる。即ち、コネクタ２３０１は、このコネクタ２３０１を差し込む方向（図１２の正面図の紙面上で上方向）へ抜けないようになる。
なお、ここで第１、第２等・・・と番号を使用したのは、同じ部材名称について、形成されている位置を特定しやすいように便宜的に使用するもので、個数又は順番を意味するものではない。以下の番号表記も同様な趣旨によるものである。
【００６８】
第１抜け止め片２３０７は、図１３の平面図に示すように、コネクタ２３０１の長辺に沿う方向へ突出するように板状の抜け止め片が形成されたものである。この第１抜け止め片２３０７の先端側が、保持穴２３０８の周縁に引っ掛かり抜けないようになる。この第１抜け止め片２３０７の形状は図示は一例であり、その他の形状ものでもよい。
【００６９】
＜第１可撓性爪部２３０９＞
この第１抜け止め片２３０７に囲まれた位置に、第１可撓性爪部２３０９を形成している。この第１可撓性爪部２３０９はコネクタ２３０１のプラグ本体２３０３の短辺部分から、コネクタ２３０１の長辺方向へ突出するように形成された細長い板状の爪部材である。この第１可撓性爪部２３０９は文字通り撓むことができる部材である。この第１可撓性爪部２３０９には、その先端側（図示例では保持穴２３０８の周縁側に）に第１位置決め突起部２３１０が形成されている。
【００７０】
第１位置決め突起部２３１０は、コネクタ保持板２３０６の保持穴２３０８を通過したら、この第１位置決め突起部２３１０が保持穴２３０８の周縁に接し、この保持穴２３０８内でのコネクタ２３０１のプラグ本体２３０３の動きを規制すると共に、この保持穴２３０８からの離脱を防止するようになる。図示例では、略正方形状の第１抜け止め片２３０７の内部に第１可撓性爪部２３０９を形成している状態を示しているが、この配置を逆にした、第１可撓性爪部２３０９が第１抜け止め片２３０７を挟むような構成でもよい。
【００７１】
＜第２抜け止め片２３１１＞
コネクタ２３０１の反対の短辺側には、コネクタ保持板２３０６の保持穴２３０８の周縁に引っ掛かるように第２抜け止め片２３１１を形成している。この第２抜け止め片２３１１では、一旦保持穴２３０８に取り付けたコネクタ２３０１が抜けることを防止する作用を奏する。即ち、第２抜け止め片２３１１は、このコネクタ２３０１のハーネス２３０５側（図１２の正面図の紙面上で下方向）へ抜けないようになる。そこで、第２抜け止め片２３１１は、コネクタ２３０１のハーネス２３０５側に向かって、保持穴２３０８の周縁に接するようになる。
【００７２】
第２抜け止め片２３１１は、コネクタ２３０１のプラグ本体２３０３の短辺の周囲に２本の部材が突出するように形成されたものである。しかし、この形状は一例であり、第２抜け止め片２３１１は、単純に１本の部材から成るものでもよい。
【００７３】
＜第３抜け止め片２３１２と第５抜け止め片２３１３＞
コネクタ２３０１の長辺の両側には、それぞれ第３抜け止め片２３１２と第５抜け止め片２３１３を形成している。第３抜け止め片２３１２と第５抜け止め片２３１３は、それぞれコネクタ保持板２３０６の保持穴２３０８の周縁においてコネクタ２３０１が抜けないようになり、遊技盤６１を遊技機前面ユニット２３に遊技機１０の前方から嵌合すると同時に、コネクタ２３０１をレセプタクル２３０２（コネクタ）に接続できるようになる。
【００７４】
この第３抜け止め片２３１２と第５抜け止め片２３１３の形状は、図１２の正面図に示すように、横断面図で略逆Ｌ字形状を有する。第３抜け止め片２３１２と第５抜け止め片２３１３は、コネクタ２３０１の長辺方向に延びる抜け止め片を有し、コネクタ保持板２３０６の保持穴２３０８からの抜け止め機能を奏する。このように略逆Ｌ字形状にしたのは、この保持穴２３０８の周縁の表面に当たることで、コネクタ２３０１の差し込み方向の抜け止めとしての機能と、これに連続した部分が周縁に接することで、コネクタ２３０１の長辺方向へのストッパ機能を有する。一方、コネクタ２３０１の長辺の反対方向へのずれは、後述するように、コネクタ保持板２３０６に形成した弾性部材２３２１に当接させてその移動範囲を規制している。
【００７５】
＜第４抜け止め片２３１４と第６抜け止め片２３１５＞
コネクタ２３０１の長辺の両側には、それぞれ第４抜け止め片２３１４と第６抜け止め片２３１５を形成している。第４抜け止め片２３１４と第６抜け止め片２３１５の形状は、横断面図でクランク形状を有する。第４抜け止め片２３１４と第６抜け止め片２３１５では、コネクタ２３０１の長辺方向に延びる抜け止め片を有し、コネクタ保持板２３０６の保持穴２３０８からの抜け止め機能を奏する。更にコネクタ２３０１の長辺方向に延びる抜け止め片をハーネス２３０５側にも形成している。このハーネス２３０５側の抜け止め片は、後述するように数本の突起を有する治具を用いて、各位置決め突起部２３１０，２３１７，２３１９を押して可撓性爪部２３０９，２３１６，２３１８を撓ませると同時に、コネクタ２３０１をその長辺方向にずらしたときに、位置決め突起部２３１０，２３１７，２３１９が保持穴２３０８の周縁の裏面に移動し、治具の数本の突起が収まるようにする機能を有する（図１８（ｂ）参照）。この保持穴２３０８の周縁の表面に当たる抜け止め片とその裏面に当たる抜け止め片とを連結するようにその中間でも保持穴２３０８の周縁に接して、コネクタ２３０１の長辺方向への位置決め機能を有する。
【００７６】
＜コネクタ２３０１の構造（第２，３可撓性爪部２３１６，２３１８）＞
コネクタ２３０１において第３抜け止め片２３１２と第４抜け止め片２３１４の間に、第２可撓性爪部２３１６を形成している。この第２可撓性爪部２３１６の可動先側に第２位置決め突起部２３１７が形成されている。第２位置決め突起部２３１７は保持穴２３０８を通過したら、この第２位置決め突起部２３１７が保持穴２３０８の周縁に接し、この保持穴２３０８内でのコネクタ２３０１の長辺方向への動きを規制して、この保持穴２３０８からの離脱を防止するようになる。
【００７７】
同様に、コネクタ２３０１において第５抜け止め片２３１３と第６抜け止め片２３１５の間に、第３可撓性爪部２３１８を形成している。この第３可撓性爪部２３１８の可動先側に第３位置決め突起部２３１９が形成されている。第３位置決め突起部２３１９は保持穴２３０８を通過したら、この第３位置決め突起部２３１９が保持穴２３０８の周縁に接し、この保持穴２３０８内でのコネクタ２３０１の長辺方向への動きを規制して、この保持穴２３０８からの離脱を防止するようになる。
【００７８】
＜位置決め用突片部２３２０＞
コネクタ２３０１の短辺側には、更にコネクタ２３０１の長辺方向へ突出するように位置決め用突片部２３２０を形成している。コネクタ２３０１の短辺には、コネクタ２３０１の長辺方向へ突出するように第２抜け止め片２３１１を形成しているが、この第２抜け止め片２３１１と同じ側であるが、保持穴２３０８を挟んだハーネス２３０５側に位置決め用突片部２３２０を突出するように形成している。これは、コネクタ保持板２３０６に形成した弾性部材２３２１に当接して、コネクタ２３０１の揺動範囲をある程度規制する機能を有する。コネクタ２３０１はコネクタ保持板２３０６においてある程度移動可能に装着することが望ましい。その移動範囲が広すぎると却って、レセプタクル２３０２（コネクタ）と芯位置がずれて嵌合させづらくなるからである。
【００７９】
＜差込み案内先端部２３２２＞
略直方体形状のプラグ本体２３０３には、プラグターミナル２３０４を挟むように、両短辺部分に先が尖った形状の差込み案内先端部２３２２が形成されている。差込み案内先端部２３２２は、プラグターミナル２３０４の先端面より更に前方に突出した状態で形成されている。各差込み案内先端部２３２２は、先端が４方向に傾斜するように尖った形状になる。略直方体形状のプラグ本体２３０３のプラグターミナル２３０４に対して、長辺方向又は短辺方向の何れへの位置ずれがあってもそれを吸収できるようにするためである。これらの差込み案内先端部２３２２は、コネクタ２３０１をコネクタ保持板２３０６と共に、レセプタクル２３０２側に差し込む方向に、多少の位置ずれがあっても、この差込み案内先端部２３２２が受け側のレセプタクル２３０２を捉えそのまま嵌合させることができる。
【００８０】
＜コネクタ保持板２３０６の構造）＞
図１４は実施例１のコネクタ保持板２３０６に２個のコネクタ２３０１を装着した状態を示す正面図である。図１５は実施例１のコネクタ保持板２３０６を示す平面図である。図１６は実施例１のコネクタ保持板２３０６を示す底面図である。
コネクタ保持板２３０６は、細長い部材の保持板本体２３２３に２個のコネクタ２３０１を保持する保持穴２３０８を開け、周囲にネジ止め用のネジ挿通孔２３２４を数か所設けている。保持板本体２３２３は横断面形状がコ字形状を有する。このコネクタ保持板２３０６は遊技機１０の遊技盤６１の裏面に装着され、このコネクタ保持板２３０６にコネクタ２３０１を揺動自在に保持した状態で、遊技機１０の遊技機前面ユニット２３に取り付けられたレセプタクル２３０２（コネクタ）に接続される。
【００８１】
コネクタ保持板２３０６は、遊技盤６１を遊技機前面ユニット２３に嵌合する際に、その位置決めとなる位置を回動中心として、その回動中心位置から遠ざかる方向に高くなるように傾斜面（角度α）を形成した形状になる。例えば、遊技盤６１の交換に際して、この遊技盤６１を遊技機前面ユニット２３に嵌合しやすいように、図１１に示したように、遊技機前面ユニット２３の側方に、遊技盤６１の側方を合わせる、いわゆる「位置決め」をしてから嵌合するときは、この傾斜面により円滑な接続が可能になる。
コネクタ２３０１の嵌合方向が直線状になると嵌り易くなる。その後、コネクタ２３０１の若干の傾斜は、コネクタ保持板２３０６に取り付けられたコネクタ２３０１が長辺方向又は短辺方向への位置ずれにより吸収できる。
【００８２】
また、遊技機前面ユニット２３の下部に「位置決め」をしてから、遊技盤６１を下方へ落とし込むように嵌合する構造では、コネクタ保持板２３０６の取付け方向を９０度回転して遊技盤６１に取り付ける。
【００８３】
＜コネクタ保持板２３０６の通過用切欠き部２３２５，２３２６，２３２７＞
コネクタ保持板２３０６は、コネクタ２３０１を保持するために、保持穴２３０８を形成している。この保持穴２３０８は、コネクタ２３０１のプラグ本体２３０３の横断面形状に合わせて略長方形状になる。この保持穴２３０８は、プラグ本体２３０３の横断面より大きな貫通穴である。この保持穴２３０８の周縁に、更にコネクタ２３０１の抜け止め片を装着の際に通過させる通過用切欠き部２３２５，２３２６，２３２７を数か所形成している。図示例のコネクタ保持板２３０６は２個の保持穴２３０８を開けた状態を示しているが、これは１穴又は３穴あるいはそれ以上であってもよく、２個に限定されない。
【００８４】
保持穴２３０８には、コネクタ２３０１の第３，５抜け止め片２３１２，２３１３とを通過させる略正方形状の第１通過用切欠き部２３２５を形成している。この第１通過用切欠き部２３２５は、第３、５抜け止め片２３１２，２３１３が通過したあとは、その後通過する第１可撓性爪部２３０９の第１位置決め突起部２３１０が飛出し、この第１位置決め突起部２３１０が第１通過用切欠き部２３２５の周縁に当たり、この第１位置決め突起部２３１０が保持穴２３０８の周縁に接し、この保持穴２３０８内でのコネクタ２３０１の長辺方向への動きを規制して、この保持穴２３０８からの離脱を防止するようになる。
【００８５】
更に、コネクタ２３０１の第４抜け止め片２３１４を通過させる略長方形状の第２通過用切欠き部２３２６を形成している。この第２通過用切欠き部２３２６は、第４抜け止め片２３１４が通過したあとは、その後通過する第２可撓性爪部２３１６の第２位置決め突起部２３１７が飛出し、この第２位置決め突起部２３１７が第２通過用切欠き部２３２６の周縁に当たり、この保持穴２３０８内でのコネクタ２３０１の長辺方向への動きを規制して、この保持穴２３０８からの離脱を防止するようになる。
【００８６】
同様にコネクタ２３０１の第６抜け止め片２３１５と第３可撓性爪部２３１８を通過させる略長方形状の第３通過用切欠き部２３２７を形成している。この第３通過用切欠き部２３２７は、第６抜け止め片２３１５と第３可撓性爪部２３１８が通過したあとは、その後通過する第３可撓性爪部２３１８の第３位置決め突起部２３１９が飛出し、この第２位置決め突起部２３１７が第２通過用切欠き部２３２６の周縁に当たり、この保持穴２３０８内でのコネクタ２３０１の長辺方向への動きを規制して、この保持穴２３０８からの離脱を防止するようになる。
【００８７】
＜コネクタ保持板２３０６へコネクタ２３０１の装着と取り外し＞
図１７はコネクタ２３０１をコネクタ保持板２３０６へ装着する状態を示す拡大断面図であり、（ａ）は装着前の状態、（ｂ）は装着中の状態、（ｃ）は可撓性爪部を押し曲げている状態、（ｄ）は装着後の状態である。図１８はコネクタ２３０１をコネクタ保持板２３０６から取り外す状態を示す拡大断面図であり、（ａ）は取り外す前の状態、（ｂ）は取り外し中の状態、（ｃ）は取り外し後の状態である。
このように構成したコネクタ保持板２３０６へコネクタ２３０１を装着するときは、図１７（ａ）に示すように、コネクタ２３０１をそのプラグ本体２３０３を保持穴２３０８に差し込み、この状態で更にコネクタ保持板２３０６の第１通過用切欠き部２３２５から第３抜け止め片２３１２と第５抜け止め片２３１３を通過させようとするが、図１７（ｂ）に示すように、この状態では、第１可撓性爪部２３０９の第１位置決め突起部２３１０が保持穴２３０８に当たり、第３抜け止め片２３１２と第５抜け止め片２３１３は第１通過用切欠き部２３２５の周縁に当たり、完全に通過させ、第３抜け止め片２３１２と第５抜け止め片２３１３を保持穴２３０８の周縁を乗り越えることができない。
同時に第４抜け止め片２３１４と第６抜け止め片２３１５も、第２位置決め突起部２３１７、第３位置決め突起部２３１９が保持穴２３０８に当たり、第２通過用切欠き部２３２６、第３通過用切欠き部２３２７での周縁に当たり、完全に通過させ、第４抜け止め片２３１４と第６抜け止め片２３１５を保持穴２３０８の周縁を乗り越えることができない。
【００８８】
次に、そのまま、コネクタ２３０１を差し込み方向へ押していくと、図１７（ｂ）の状態から図１７（ｃ）の状態のように、第１可撓性爪部２３０９は撓み、第３抜け止め片２３１２と第５抜け止め片２３１３は第１通過用切欠き部２３２５を通過し、保持穴２３０８の周縁を乗り越えることができる。
同時に、第２可撓性爪部２３１６と第３可撓性爪部２３１８は撓み、第４抜け止め片２３１４と第６抜け止め片２３１５も、第２通過用切欠き部２３２６、第３通過用切欠き部２３２７を通過し、保持穴２３０８の周縁を乗り越えることができる。
【００８９】
最後に、図１７（ｄ）に示すように、第２通過用切欠き部２３２６を通過した第４抜け止め片２３１４は所定の方向へずらす（図示する矢印方向）。これで、撓んでいる第２可撓性爪部２３１６の第２位置決め突起部２３１７が第２通過用切欠き部２３２６に飛び出す。この第２位置決め突起部２３１７と第４抜け止め片２３１４が第２通過用切欠き部２３２６を塞ぎ、コネクタ２３０１の長辺方向への動作を規制する。これで第４抜け止め片２３１４が保持穴２３０８に周縁に当たり、抜け止めの機能を奏する。
【００９０】
同様に、第３通過用切欠き部２３２７を通過した第６抜け止め片２３１５を所定の方向へずらす。これで、撓んでいる第３可撓性爪部２３１８の第３位置決め突起部２３１９が第３通過用切欠き部２３２７に飛び出す。この第３位置決め突起部２３１９と第６抜け止め片２３１５が第３通過用切欠き部２３２７を塞ぎ、コネクタ２３０１の長手方向への動作を規制する。これで第６抜け止め片２３１５が保持穴２３０８に周縁に当たり、抜け止めの機能を奏する。
コネクタ保持板２３０６へコネクタ２３０１を装着するときの説明を、個々に説明したが、第１通過用切欠き部２３２５から第３通過用切欠き部２３２７までの各抜け止め片と可撓性爪部の通過は同時に行われる。
【００９１】
コネクタ保持板２３０６からコネクタ２３０１を取り外すときは、上述した手順を逆にすればよい。但し、図１８（ａ）に示すように、コネクタ２３０１をそのプラグ本体２３０３を保持穴２３０８に差し込み、この状態で第１通過用切欠き部２３２５から第３通過用切欠き部２３２７までの各抜け止め片と可撓性爪部の通過は同時に行う必要がある。そこで、図１８（ｂ）に示すように、所定の治具を用いて、３カ所の各可撓性爪部２３０９，２３１６，２３１８の位置決め突起部２３１０，２３１７，２３１９を押し込む（コネクタ２３０１の差し込み方向と反対方向）。その後、コネクタ２３０１をコネクタ保持板２３０６で各抜け止め片が各通過用切欠き部２３２５，２３２６，２３２７を通過できる位置までずらす。通過できる位置まできたら、コネクタ２３０１を抜き取ることができ、取り外しが完了する。
【００９２】
＜コネクタ保持板２３０６によるレセプタクル２３０２への接続状態＞
図１９は遊技盤６１の側方で「位置決め」をしてから嵌合する場合に、コネクタ保持板２３０６に装着したコネクタ２３０１をレセプタクル２３０２に接続する状態を示す拡大平面図である。図２０は遊技盤６１の下部で「位置決め」をしてから嵌合する場合に、コネクタ保持板２３０６に装着したコネクタ２３０１がレセプタクル２３０２に接続する状態を示す拡大側面図である。
図１９の拡大平面図に示すように、このように構成したコネクタ２３０１をコネクタ保持板２３０６に装着して、レセプタクル２３０２に嵌合するように接続する。遊技盤６１の交換に際して、この遊技盤６１を遊技機前面ユニット２３に嵌合しやすいように、遊技機前面ユニット２３の側方に、遊技盤６１の側方を合わせる、いわゆる「位置決め」をしてから嵌合する。遊技盤６１と遊技機前面ユニット２３を嵌合する際に、コネクタ２３０１を、レセプタクル２３０２側に差し込む際にその位置ずれを吸収して適切な位置で嵌合接続できる。コネクタ２３０１の位置決め突起２３１０が回転中心の近い側に形成されているが（図１１参照）、この反対位置にコネクタ２３０１の位置ずれを吸収する弾性部材２３２１をコネクタ保持板２３０６に設けることにより、位置ずれを吸収し易くしている。
【００９３】
更に、コネクタ保持板２３０６は、コネクタ２３０１の長辺方向への位置ずれも吸収することができる。更に、図２０の拡大側面図に示すように、コネクタ保持板２３０６ではコネクタ２３０１の短辺方向への位置ずれも吸収することができる。これにより、コネクタ２３０１をレセプタクル２３０２に差し込む際にその位置ずれを吸収して適切な位置で嵌合接続することができる。
【００９４】
上記図示例では、本発明のコネクタ２３０１を保持するコネクタ保持板２３０６を遊技盤６１側に取り付け、このコネクタ２３０１を接続するレセプタクル２３０２（コネクタ）を遊技機前面ユニット２３側に取り付けた状態を示している。しかし、この配置に限定されず、本発明のコネクタ２３０１を保持するコネクタ保持板２３０６を遊技機前面ユニット２３側に取り付け、このコネクタ２３０１を接続するレセプタクル２３０２を遊技盤６１側に取り付ける反対の配置も可能である。
【００９５】
本発明は、図１９のような嵌合方法に限定されず、遊技機前面ユニット２３の下部に「位置決め」をしてから、遊技盤６１を下方へ落とし込むように嵌合するときは、コネクタ保持板２３０６を９０度回転させた状態で遊技盤６１に取り付ける。このような配置でも、コネクタ２３０１をレセプタクル２３０２に差し込む際にその位置ずれを吸収して適切な位置で嵌合接続することができる。
【００９６】
なお、上述した実施の形態の記載内容に限定されず、例えば次のように実施してもよい。
（１）上記実施の形態では、残存遊技球数が２９個となるように、上下通路ユニット１３４において切換片から払出装置１３５の回転体までの通路長を設定したが、残存遊技球数は２９個に限定されることはなく、単位遊技球数のいずれの整数倍とも一致しない数であれば具体的な数は任意である。例えば、上記実施の形態における単位遊技球数の設定において、残存遊技球数を１７個、１９個、２３個等としてもよい。
【００９７】
（２）入賞口６２〜６５に対する単位遊技球数の設定は、上記実施の形態のものに限定されることはなく、任意である。但し、単位遊技球数の設定を変更した場合には、それら単位遊技球数のいずれの整数倍とも一致しないように残存遊技球数を変更する必要がある。ちなみに、可変入賞装置６３に対する単位遊技球数を１５個に代えて、１４個としてもよい。当該構成であっても、残存遊技球数を２９個とすることで、上記実施の形態と同様の効果を得ることができる。
【００９８】
（３）上記実施の形態では、単位遊技球数が異なる入賞口の種類を４種類としたが、これに限定されることはなく、１種類、２種類、３種類又は５種類以上であってもよい。この場合であっても、残存遊技球数を単位遊技球数のいずれの整数倍とも一致しないようにすることで、上記実施の形態と同様の効果を得ることができる。
【００９９】
（４）上記実施の形態では、図柄表示装置７１を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿９５ａ及び下皿９６ａが設けられているのではなく、単一の受け皿が設けられたパチンコ機にも、本発明を適用できる。
【０１００】
以下、上述した実施の形態から抽出される発明群の特徴について、必要に応じて効果等を示しつつ説明する。
【０１０１】
遊技機Ａ
本発明は、パチンコ機、スロットマシンあるいはメダルの代わりに遊技球でスロットマシンの遊技をするパロット等の遊技機に関する。
【０１０２】
遊技機例えばパチンコ機を新台に交換する際に、遊技機全体を島の枠構造から取外すのではなく、遊技盤のみを外して交換する構造の遊技機がある。この遊技盤を交換する際に、遊技機の前方からこの遊技盤を遊技機前面ユニットに嵌合する構成になっている。このような交換作業の容易な遊技機について、例えば特許文献２の特開平９−７１４公報「遊技機」が提案されている。
【０１０３】
このような遊技盤のみを交換する遊技機について、コネクタを接続する際には、一旦交換した遊技盤はその側方のヒンジ構造を回動中心にして開け、個々にコネクタを接続していた。このような交換作業では、遊技盤の嵌合作業とコネクタの接続作業と２段階の作業が必要であり、遊技盤のみを遊技機の前方から交換する交換作業であっても作業全体の時間を短縮できなかった。
【０１０４】
更に、遊技機の交換に際して、遊技機の前方から遊技盤をこの遊技機前面ユニットに嵌合すると同時にコネクタも接続することができる構成も提案されている。
【０１０５】
【特許文献２】特開平９−７１４
【０１０６】
しかし、遊技盤の交換に際して、この遊技盤を遊技機前面ユニットに嵌合しやすいように、遊技機前面ユニットの側方に、遊技盤の側方を合わせる、いわゆる「位置決め」をしてから嵌合する必要がある。または前面ユニットの下部で「位置決め」をするように、遊技盤を下方へ落とし込むように嵌合する構造のものがある。遊技盤に取り付けられたコネクタを、遊技機前面ユニットに取り付けられたコネクタに差し込む際に位置ずれがあると嵌合接続をすることができないことがあった。
【０１０７】
そのために、例えば差し込む側のコネクタは尖った形状に、差し込まれる側のコネクタはロート形状にしたいわゆる「誘い込み構造」を設ける必要があった。それぞれ遊技盤のコネクタも差し込まれる遊技機前面ユニット側のコネクタ（レセプタクル）にも誘い込み構造を設ける必要があった。
【０１０８】
本発明は、上述した問題点等を解決するために創案されたものである。すなわち、本発明の目的は、遊技盤を遊技機前面ユニットに遊技機の前方から嵌合する遊技盤交換に際して、同時にコネクタを円滑に接続することができる遊技機を提供することにある。
【０１０９】
遊技機Ａ１は、遊技機前面ユニットから遊技盤を取り外すことができる遊技機であって、
前記遊技盤の裏面に取り付けられた、少なくとも遊技機に関する信号の中継を行う信号中継回路が構成されたターミナル基板の配線用の遊技盤側のコネクタと、
前記遊技盤側のコネクタに接続される前記遊技機前面ユニットに取り付けられた遊技機前面ユニット側のコネクタと、を備え、
前記遊技盤側又は遊技機前面ユニット側の何れか一方のコネクタは、所定方向への位置ずれを吸収し得るように、該コネクタが装着される保持穴を開けたコネクタ保持板を介在して該遊技盤又は該遊技機前面ユニットに取り付けられた、ことを特徴とする遊技機。
【０１１０】
遊技機Ａ１では、新台交換に際して遊技盤を遊技機前面ユニットに遊技機の前方から嵌合すると同時にコネクタを円滑に接続することができる。
【０１１１】
遊技機Ａ２は、前記コネクタ保持板は、前記コネクタを保持する保持穴を開けた部材から成り、前記遊技盤と遊技機前面ユニットを嵌合する際に、その位置決めとなる位置を回動中心として、その回動中心位置から遠ざかる方向に向けて高くなるように傾斜面を形成した、ことを特徴とする遊技機Ａ１の遊技機。
遊技機Ａ２では、コネクタ保持板の傾斜面により、遊技機前面ユニットの側方に、遊技盤の側方を合わせる、いわゆる「位置決め」をしてから回動するように嵌合する際に、コネクタ保持板のコネクタの円滑な接続が可能になる。
【０１１２】
遊技機Ａ３は、前記コネクタ保持板は、保持穴において保持される前記コネクタの移動位置を規制する弾性部材を該保持穴の周囲に設けた、ことを特徴とする遊技機Ａ１又はＡ２の遊技機。
遊技機Ａ３では、コネクタ保持板に形成した弾性部材により、コネクタの揺動範囲をある程度規制し、コネクタの移動範囲が広すぎることで、却ってレセプタクル（コネクタ）と芯位置がずれて嵌合させづらくなることを防止することができる。
【０１１３】
遊技機１０、Ａ１〜Ａ３のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１１４】
遊技機１０、Ａ１〜Ａ３のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１５】
遊技機１０、Ａ１〜Ａ３のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１１６】
本発明の遊技機は、主にパチンコ機の遊技機に利用することができるが、外枠等の枠状部材を有する構成の遊技機であれば、パチンコ機以外の様々な遊技機に利用することができる。
【符号の説明】
【０１１７】
１０  遊技機としてのパチンコ機
２３  遊技機前面ユニット
６１  遊技盤
２３０１  コネクタ
２３０２  レセプタクル（コネクタ）
２３０６  コネクタ保持板
２３０８  保持穴
２３０７  第１抜け止め片
２３０９  第１可撓性爪部
２３１０  第１位置決め突起部
２３１１  第２抜け止め片
２３１２  第３抜け止め片
２３１３  第５抜け止め片
２３１４  第４抜け止め片
２３１５  第６抜け止め片
２３１６  第２可撓性爪部
２３１７  第２位置決め突起部
２３１８  第３可撓性爪部
２３１９  第３位置決め突起部
２３２０  位置決め用突片部
２３２１  弾性部材
２３２５  第１通過用切欠き部
２３２６  第２通過用切欠き部
２３２７  第３通過用切欠き部
【図１】
2018153687.tif 000003
【図２】
2018153687.tif 000004
【図３】
2018153687.tif 000005
【図４】
2018153687.tif 000006
【図５】
2018153687.tif 000007
【図６】
2018153687.tif 000008
【図７】
2018153687.tif 000009
【図８】
2018153687.tif 000010
【図９】
2018153687.tif 000011
【図１０】
2018153687.tif 000012
【図１１】
2018153687.tif 000013
【図１２】
2018153687.tif 000014
【図１３】
2018153687.tif 000015
【図１４】
2018153687.tif 000016
【図１５】
2018153687.tif 000017
【図１６】
2018153687.tif 000018
【図１７】
2018153687.tif 000019
【図１８】
2018153687.tif 000020
【図１９】
2018153687.tif 000021
【図２０】
2018153687.tif 000022
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
遊技機前面ユニットから遊技盤を取り外すことができる遊技機であって、
前記遊技盤の裏面に取り付けられた、少なくとも遊技機に関する信号の中継を行う信号中継回路が構成されたターミナル基板の配線用の遊技盤側のコネクタと、
前記遊技盤側のコネクタに接続される前記遊技機前面ユニットに取り付けられた遊技機前面ユニット側のコネクタと、を備え、
前記遊技盤側又は遊技機前面ユニット側の何れか一方のコネクタは、該コネクタが装着される保持穴を開けたコネクタ保持板を介在して該遊技盤又は該遊技機前面ユニットに取り付けられ、
前記一方のコネクタは、該一方のコネクタの周囲に、その長辺に沿う方向へ突出するように形成された、板状の抜け止め片を有し、
前記抜け止め片に囲まれた位置に、前記コネクタの長辺方向へ突出するように形成された、前記コネクタ保持板に装着する際に撓む可撓性爪部を有し、
前記コネクタ保持板に前記一方のコネクタを装着した際には、該コネクタ保持板の保持穴の周縁に前記抜け止め片が接することにより抜け止めとなるとともに、
前記可撓性爪部の可動先側に形成された位置決め突起部が、前記保持穴の周縁に接することにより、前記一方のコネクタの動きを規制すると共に、該保持穴からの離脱を防止するように、該一方のコネクタを揺動自在に保持するように構成された、ことを特徴とする遊技機。
【請求項２】
前記遊技機は、パチンコ機であることを特徴とする請求項１に記載の遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機、スロットマシンあるいはメダルの代わりに遊技球でスロットマシンの遊技をするパロット等の遊技機に関する。
【背景技術】
【０００２】
例えば、遊技盤のみを外して交換する構造の遊技機がある。
【先行技術文献】
【特許文献】
【０００３】
【特許文献１】特開平９−７１４
【発明の概要】
【発明が解決しようとする課題】
【０００４】
しかし、遊技盤の交換に際して、コネクタを円滑に接続することに関する問題があった。
【０００５】
本発明は、上記例示した問題点等を解決するために創案されたものである。すなわち、本発明の目的は、遊技盤の交換に際して、コネクタを円滑に接続することができる遊技機を提供することにある。
【課題を解決するための手段】
【０００６】
本発明は、遊技機前面ユニットから遊技盤を取り外すことができる遊技機であって、
前記遊技盤の裏面に取り付けられた、少なくとも遊技機に関する信号の中継を行う信号中継回路が構成されたターミナル基板の配線用の遊技盤側のコネクタと、
前記遊技盤側のコネクタに接続される前記遊技機前面ユニットに取り付けられた遊技機前面ユニット側のコネクタと、を備え、
前記遊技盤側又は遊技機前面ユニット側の何れか一方のコネクタは、該コネクタが装着される保持穴を開けたコネクタ保持板を介在して該遊技盤又は該遊技機前面ユニットに取り付けられ、
前記一方のコネクタは、該一方のコネクタの周囲に、その長辺に沿う方向へ突出するように形成された、板状の抜け止め片を有し、
前記抜け止め片に囲まれた位置に、前記コネクタの長辺方向へ突出するように形成された、前記コネクタ保持板に装着する際に撓む可撓性爪部を有し、
前記コネクタ保持板に前記一方のコネクタを装着した際には、該コネクタ保持板の保持穴の周縁に前記抜け止め片が接することにより抜け止めとなるとともに、
前記可撓性爪部の可動先側に形成された位置決め突起部が、前記保持穴の周縁に接することにより、前記一方のコネクタの動きを規制すると共に、該保持穴からの離脱を防止するように、該一方のコネクタを揺動自在に保持するように構成された、ことを特徴とする。
また、前記遊技機は、パチンコ機であることとしてもよい。
【発明の効果】
【０００７】
上記構成の発明では、コネクタを円滑に接続することができる。
【図面の簡単な説明】
【０００８】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１のコネクタ接続構造を構成するコネクタ保持板によりコネクタを接続する状態を示す説明平面図である。
【図１２】実施例１のコネクタ接続構造を構成するコネクタを示す拡大正面図である。
【図１３】実施例１のコネクタ接続構造を構成するコネクタを示す拡大平面図である。
【図１４】実施例１のコネクタ保持板に２個のコネクタを装着した状態を示す正面図である。
【図１５】実施例１のコネクタ保持板を示す平面図である。
【図１６】実施例１のコネクタ保持板を示す底面図である。
【図１７】コネクタをコネクタ保持板へ装着する状態を示す拡大断面図であり、（ａ）は装着前の状態、（ｂ）は装着中の状態、（ｃ）は可撓性爪部を押し曲げている状態、（ｄ）は装着後の状態である。
【図１８】コネクタをコネクタ保持板から取り外す状態を示す拡大断面図であり、（ａ）は取り外す前の状態、（ｂ）は取り外し中の状態、（ｃ）は取り外し後の状態である。
【図１９】遊技盤の側方で「位置決め」をしてから嵌合する場合に、コネクタ保持板に装着したコネクタをレセプタクルに接続する状態を示す拡大平面図である。
【図２０】遊技盤の下部で「位置決め」をしてから嵌合する場合に、コネクタ保持板に装着したコネクタがレセプタクルに接続する状態を示す拡大側面図である。
【発明を実施するための形態】
【０００９】
遊技機例えばパチンコ機を新台に交換する際に、遊技機全体を島の枠構造から取外すのではなく、遊技盤のみを外して交換する構造の遊技機がある。これは遊技盤を交換する際に、例えば遊技機の前方からこの遊技盤を遊技機前面ユニットに嵌合する構成になっているものがある。このような交換作業の容易な遊技機について、例えば特許文献１の特開平９−７１４公報「遊技機」が提案されている。
このような遊技盤のみを交換する遊技機について、コネクタを接続する際には、一旦交換した遊技盤はその側方のヒンジ構造を回動中心にして開け、個々にコネクタを接続していた。このような交換作業では、遊技盤の嵌合作業とコネクタの接続作業と２段階の作業が必要であり、遊技盤のみを遊技機の前方から交換する交換作業であっても作業全体の時間を短縮できなかった。
更に、遊技機の交換に際して、遊技機の前方から遊技盤をこの遊技機前面ユニットに嵌合すると同時にコネクタも接続することができる構成も提案されている。
しかし、遊技盤の交換に際して、この遊技盤を遊技機前面ユニットに嵌合しやすいように、遊技機前面ユニットの側方に、遊技盤の側方を合わせる、いわゆる「位置決め」をしてから嵌合する必要がある。または前面ユニットの下部で「位置決め」をするように、遊技盤を下方へ落とし込むように嵌合する構造のものがある。遊技盤に取り付けられたコネクタを、遊技機前面ユニットに取り付けられたコネクタに差し込む際に位置ずれがあると嵌合接続をすることができないことがあった。
そのために、例えば差し込む側のコネクタは尖った形状に、差し込まれる側のコネクタはロート形状にしたいわゆる「誘い込み構造」を設ける必要があった。それぞれ遊技盤のコネクタも差し込まれる遊技機前面ユニット側のコネクタ（レセプタクル）にも誘い込み構造を設ける必要があった。
本発明は、上述した問題点等を解決するために創案されたものである。すなわち、本発明の目的は、遊技盤を遊技機前面ユニットに遊技機の前方から嵌合する遊技盤の交換に際して、同時にコネクタを円滑に接続することができる遊技機を提供することにある。
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。
図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。本発明は、この外枠１１と遊技機主部２１とが着脱自在に分離する構造になっている。
【００１０】
＜遊技機１０の全体構成＞
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１１】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１２】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１３】
遊技機主部２１は、図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１４】
遊技機前面ユニット２３には、手前側へ膨出した第１膨出部９５が窓パネル部９１の下方に設けられており、その第１膨出部９５内側には、上方に開口した上皿９５ａが設けられている。上皿９５ａは、第１払出口２３１より払い出された遊技球を一旦貯留し、一列に整列させながら下流側（本実施の形態では右側）へ導くための球受皿である。
【００１５】
第１膨出部９５には、上皿９５ａの下流側に上皿球抜きスイッチ２３２が設けられると共に、上皿９５ａの前方に貸球操作部２３３が配設されている。上皿球抜きスイッチ２３２は、上皿９５ａに貯留された遊技球を排出するために操作されるものである。
【００１６】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。
【００１７】
また、第１膨出部９５の前面側中央部には、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００１８】
遊技機前面ユニット２３の下部位置には、手前側へ膨出した第２膨出部９６が設けられており、その第２膨出部９６内側には、上方に開口した下皿９６ａが設けられている。下皿９６ａは、第２払出口２３７より払い出された遊技球を一旦貯留するための球受皿である。下皿９６ａには、例えば下皿球抜きスイッチ２３３を操作された場合、上皿９５ａに貯留された遊技球が第２払出口２３７より排出されるようになっている。
【００１９】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００２０】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００２１】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２２】
次に、遊技機ベースユニット２２、遊技機前面ユニット２３及び裏パックユニット２４のそれぞれについて詳細に説明する。
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００２３】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２４】
遊技盤６１は合板より成り、遊技盤６１の前面に形成された遊技領域が樹脂ベース４１の窓孔５１を通じて遊技機ベースユニット２２の前面側に露出した状態となっている。
【００２５】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００２６】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２７】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００２８】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００２９】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００３０】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００３１】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３２】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３３】
遊技盤６１には、内レール部７７と外レール部７８とが取り付けられており、これら内レール部７７と外レール部７８とにより誘導レールが構成され、遊技球発射機構から発射された遊技球が遊技領域の上部に案内されるようになっている。ちなみに、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３４】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００３５】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３６】
＜遊技機前面ユニット２３＞
ここで、遊技機前面ユニット２３の構成について説明する。図８は遊技機前面ユニット２３の背面図である。
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３７】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００３８】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００３９】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００４０】
＜遊技機ベースユニット２２の背面構成＞
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００４１】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４２】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４３】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられていると共に、取付台１０６に対する主制御装置１０７の離脱痕跡手段としてカシメ構造が設けられている。
【００４４】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００４５】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４６】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４７】
＜裏パックユニット２４＞
次に、裏パックユニット２４の構成について詳細に説明する。図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００４８】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００４９】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５０】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５１】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５２】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５３】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５４】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５５】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５６】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５７】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００５８】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００５９】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６０】
図１１は実施例１のコネクタ接続構造を構成するコネクタ保持板２３０６によりコネクタ２３０１を接続する状態を示す説明平面図である。
本発明の遊技機１０は、遊技機１０の交換に際して、この遊技機１０に向かって遊技盤６１を遊技機前面ユニット２３に前方から嵌合することができる構成である。この遊技盤６１を遊技機前面ユニット２３に前方から嵌合する際に、同時に遊技盤６１側のコネクタ２３０１と遊技機前面ユニット２３側のレセプタクル２３０２（コネクタ）を同時に接続するようになる。
【００６１】
これらのコネクタ２３０１を接続する際には、図１１に示すように、遊技盤１０の交換に際して、この遊技盤６１を遊技機前面ユニット２３に嵌合しやすいように、遊技機前面ユニット２３の側方に、遊技盤６１の側方を合わせる、いわゆる「位置決め」をしてから嵌合する。そこで、本発明の遊技機１０は、多少の芯位置のずれがあっても遊技機１０の交換作業に手間がかからず迅速に交換できるように、そのずれを容易に吸収して適切な位置でコネクタ２３０１を接続できる構成にした。
【００６２】
＜コネクタの構造＞
図１２は実施例１のコネクタ接続構造を構成するコネクタ２３０１を示す拡大正面図である。図１３は実施例１のコネクタ接続構造を構成するコネクタ２３０１を示す拡大平面図である。
本発明のコネクタ接続構造を構成するコネクタ２３０１は、略直方体形状のプラグ本体２３０３と、レセプタクル２３０２に接続されるプラグターミナル２３０４とを備え、このプラグターミナル２３０４の他端に電線等のハーネス２３０５を接続した部品である。本発明のコネクタ接続構造は、このコネクタ２３０１をコネクタ保持板２３０６に装着して、レセプタクル２３０２側に差し込む際にその位置ずれを吸収して適切な位置で嵌合接続できるようになっている。そこで、本発明のコネクタ接続構造を構成するコネクタ２３０１には、プラグ本体２３０３の周囲におけるハーネス２３０５の接続側に抜け止め片等が数か所形成されている。これらの抜け止め片は後述するコネクタ保持板２３０６の保持穴２３０８の周縁に引っ掛かることで、抜け止め作用を奏する。
【００６３】
更に、このコネクタ２３０１には、その接続後に偶発的に抜けないようにするためのロック機能を有し、抜去時にロック解除動作を必要とするポジティブロック、偶発的にロック解除用バーに引っ掛けたり、押し付けたりすることにより、ロック部が破損することを抑制するための部分ロック保護壁、更に左右に配置されたポジティブロックを同時に解除するための連結部分になるロック解除用バーを備えることも可能である。
【００６４】
＜コネクタ２３０１の第１抜け止め片２３０７＞
コネクタ２３０１は、そのハーネス２３０５が接続されているプラグ本体２３０３であって、その短辺側に、第１抜け止め片２３０７を形成している。第１抜け止め片２３０７は、コネクタ２３０１の差し込む方向に向かってコネクタ保持板２３０６に開けた保持穴２３０８の周縁に接するようになる。即ち、コネクタ２３０１は、このコネクタ２３０１を差し込む方向（図１２の正面図の紙面上で上方向）へ抜けないようになる。
なお、ここで第１、第２等・・・と番号を使用したのは、同じ部材名称について、形成されている位置を特定しやすいように便宜的に使用するもので、個数又は順番を意味するものではない。以下の番号表記も同様な趣旨によるものである。
【００６５】
第１抜け止め片２３０７は、図１３の平面図に示すように、コネクタ２３０１の長辺に沿う方向へ突出するように板状の抜け止め片が形成されたものである。この第１抜け止め片２３０７の先端側が、保持穴２３０８の周縁に引っ掛かり抜けないようになる。この第１抜け止め片２３０７の形状は図示は一例であり、その他の形状ものでもよい。
【００６６】
＜第１可撓性爪部２３０９＞
この第１抜け止め片２３０７に囲まれた位置に、第１可撓性爪部２３０９を形成している。この第１可撓性爪部２３０９はコネクタ２３０１のプラグ本体２３０３の短辺部分から、コネクタ２３０１の長辺方向へ突出するように形成された細長い板状の爪部材である。この第１可撓性爪部２３０９は文字通り撓むことができる部材である。この第１可撓性爪部２３０９には、その先端側（図示例では保持穴２３０８の周縁側に）に第１位置決め突起部２３１０が形成されている。
【００６７】
第１位置決め突起部２３１０は、コネクタ保持板２３０６の保持穴２３０８を通過したら、この第１位置決め突起部２３１０が保持穴２３０８の周縁に接し、この保持穴２３０８内でのコネクタ２３０１のプラグ本体２３０３の動きを規制すると共に、この保持穴２３０８からの離脱を防止するようになる。図示例では、略正方形状の第１抜け止め片２３０７の内部に第１可撓性爪部２３０９を形成している状態を示しているが、この配置を逆にした、第１可撓性爪部２３０９が第１抜け止め片２３０７を挟むような構成でもよい。
【００６８】
＜第２抜け止め片２３１１＞
コネクタ２３０１の反対の短辺側には、コネクタ保持板２３０６の保持穴２３０８の周縁に引っ掛かるように第２抜け止め片２３１１を形成している。この第２抜け止め片２３１１では、一旦保持穴２３０８に取り付けたコネクタ２３０１が抜けることを防止する作用を奏する。即ち、第２抜け止め片２３１１は、このコネクタ２３０１のハーネス２３０５側（図１２の正面図の紙面上で下方向）へ抜けないようになる。そこで、第２抜け止め片２３１１は、コネクタ２３０１のハーネス２３０５側に向かって、保持穴２３０８の周縁に接するようになる。
【００６９】
第２抜け止め片２３１１は、コネクタ２３０１のプラグ本体２３０３の短辺の周囲に２本の部材が突出するように形成されたものである。しかし、この形状は一例であり、第２抜け止め片２３１１は、単純に１本の部材から成るものでもよい。
【００７０】
＜第３抜け止め片２３１２と第５抜け止め片２３１３＞
コネクタ２３０１の長辺の両側には、それぞれ第３抜け止め片２３１２と第５抜け止め片２３１３を形成している。第３抜け止め片２３１２と第５抜け止め片２３１３は、それぞれコネクタ保持板２３０６の保持穴２３０８の周縁においてコネクタ２３０１が抜けないようになり、遊技盤６１を遊技機前面ユニット２３に遊技機１０の前方から嵌合すると同時に、コネクタ２３０１をレセプタクル２３０２（コネクタ）に接続できるようになる。
【００７１】
この第３抜け止め片２３１２と第５抜け止め片２３１３の形状は、図１２の正面図に示すように、横断面図で略逆Ｌ字形状を有する。第３抜け止め片２３１２と第５抜け止め片２３１３は、コネクタ２３０１の長辺方向に延びる抜け止め片を有し、コネクタ保持板２３０６の保持穴２３０８からの抜け止め機能を奏する。このように略逆Ｌ字形状にしたのは、この保持穴２３０８の周縁の表面に当たることで、コネクタ２３０１の差し込み方向の抜け止めとしての機能と、これに連続した部分が周縁に接することで、コネクタ２３０１の長辺方向へのストッパ機能を有する。一方、コネクタ２３０１の長辺の反対方向へのずれは、後述するように、コネクタ保持板２３０６に形成した弾性部材２３２１に当接させてその移動範囲を規制している。
【００７２】
＜第４抜け止め片２３１４と第６抜け止め片２３１５＞
コネクタ２３０１の長辺の両側には、それぞれ第４抜け止め片２３１４と第６抜け止め片２３１５を形成している。第４抜け止め片２３１４と第６抜け止め片２３１５の形状は、横断面図でクランク形状を有する。第４抜け止め片２３１４と第６抜け止め片２３１５では、コネクタ２３０１の長辺方向に延びる抜け止め片を有し、コネクタ保持板２３０６の保持穴２３０８からの抜け止め機能を奏する。更にコネクタ２３０１の長辺方向に延びる抜け止め片をハーネス２３０５側にも形成している。このハーネス２３０５側の抜け止め片は、後述するように数本の突起を有する治具を用いて、各位置決め突起部２３１０，２３１７，２３１９を押して可撓性爪部２３０９，２３１６，２３１８を撓ませると同時に、コネクタ２３０１をその長辺方向にずらしたときに、位置決め突起部２３１０，２３１７，２３１９が保持穴２３０８の周縁の裏面に移動し、治具の数本の突起が収まるようにする機能を有する（図１８（ｂ）参照）。この保持穴２３０８の周縁の表面に当たる抜け止め片とその裏面に当たる抜け止め片とを連結するようにその中間でも保持穴２３０８の周縁に接して、コネクタ２３０１の長辺方向への位置決め機能を有する。
【００７３】
＜コネクタ２３０１の構造（第２，３可撓性爪部２３１６，２３１８）＞
コネクタ２３０１において第３抜け止め片２３１２と第４抜け止め片２３１４の間に、第２可撓性爪部２３１６を形成している。この第２可撓性爪部２３１６の可動先側に第２位置決め突起部２３１７が形成されている。第２位置決め突起部２３１７は保持穴２３０８を通過したら、この第２位置決め突起部２３１７が保持穴２３０８の周縁に接し、この保持穴２３０８内でのコネクタ２３０１の長辺方向への動きを規制して、この保持穴２３０８からの離脱を防止するようになる。
【００７４】
同様に、コネクタ２３０１において第５抜け止め片２３１３と第６抜け止め片２３１５の間に、第３可撓性爪部２３１８を形成している。この第３可撓性爪部２３１８の可動先側に第３位置決め突起部２３１９が形成されている。第３位置決め突起部２３１９は保持穴２３０８を通過したら、この第３位置決め突起部２３１９が保持穴２３０８の周縁に接し、この保持穴２３０８内でのコネクタ２３０１の長辺方向への動きを規制して、この保持穴２３０８からの離脱を防止するようになる。
【００７５】
＜位置決め用突片部２３２０＞
コネクタ２３０１の短辺側には、更にコネクタ２３０１の長辺方向へ突出するように位置決め用突片部２３２０を形成している。コネクタ２３０１の短辺には、コネクタ２３０１の長辺方向へ突出するように第２抜け止め片２３１１を形成しているが、この第２抜け止め片２３１１と同じ側であるが、保持穴２３０８を挟んだハーネス２３０５側に位置決め用突片部２３２０を突出するように形成している。これは、コネクタ保持板２３０６に形成した弾性部材２３２１に当接して、コネクタ２３０１の揺動範囲をある程度規制する機能を有する。コネクタ２３０１はコネクタ保持板２３０６においてある程度移動可能に装着することが望ましい。その移動範囲が広すぎると却って、レセプタクル２３０２（コネクタ）と芯位置がずれて嵌合させづらくなるからである。
【００７６】
＜差込み案内先端部２３２２＞
略直方体形状のプラグ本体２３０３には、プラグターミナル２３０４を挟むように、両短辺部分に先が尖った形状の差込み案内先端部２３２２が形成されている。差込み案内先端部２３２２は、プラグターミナル２３０４の先端面より更に前方に突出した状態で形成されている。各差込み案内先端部２３２２は、先端が４方向に傾斜するように尖った形状になる。略直方体形状のプラグ本体２３０３のプラグターミナル２３０４に対して、長辺方向又は短辺方向の何れへの位置ずれがあってもそれを吸収できるようにするためである。これらの差込み案内先端部２３２２は、コネクタ２３０１をコネクタ保持板２３０６と共に、レセプタクル２３０２側に差し込む方向に、多少の位置ずれがあっても、この差込み案内先端部２３２２が受け側のレセプタクル２３０２を捉えそのまま嵌合させることができる。
【００７７】
＜コネクタ保持板２３０６の構造）＞
図１４は実施例１のコネクタ保持板２３０６に２個のコネクタ２３０１を装着した状態を示す正面図である。図１５は実施例１のコネクタ保持板２３０６を示す平面図である。図１６は実施例１のコネクタ保持板２３０６を示す底面図である。
コネクタ保持板２３０６は、細長い部材の保持板本体２３２３に２個のコネクタ２３０１を保持する保持穴２３０８を開け、周囲にネジ止め用のネジ挿通孔２３２４を数か所設けている。保持板本体２３２３は横断面形状がコ字形状を有する。このコネクタ保持板２３０６は遊技機１０の遊技盤６１の裏面に装着され、このコネクタ保持板２３０６にコネクタ２３０１を揺動自在に保持した状態で、遊技機１０の遊技機前面ユニット２３に取り付けられたレセプタクル２３０２（コネクタ）に接続される。
【００７８】
コネクタ保持板２３０６は、遊技盤６１を遊技機前面ユニット２３に嵌合する際に、その位置決めとなる位置を回動中心として、その回動中心位置から遠ざかる方向に高くなるように傾斜面（角度α）を形成した形状になる。例えば、遊技盤６１の交換に際して、この遊技盤６１を遊技機前面ユニット２３に嵌合しやすいように、図１１に示したように、遊技機前面ユニット２３の側方に、遊技盤６１の側方を合わせる、いわゆる「位置決め」をしてから嵌合するときは、この傾斜面により円滑な接続が可能になる。
コネクタ２３０１の嵌合方向が直線状になると嵌り易くなる。その後、コネクタ２３０１の若干の傾斜は、コネクタ保持板２３０６に取り付けられたコネクタ２３０１が長辺方向又は短辺方向への位置ずれにより吸収できる。
【００７９】
また、遊技機前面ユニット２３の下部に「位置決め」をしてから、遊技盤６１を下方へ落とし込むように嵌合する構造では、コネクタ保持板２３０６の取付け方向を９０度回転して遊技盤６１に取り付ける。
【００８０】
＜コネクタ保持板２３０６の通過用切欠き部２３２５，２３２６，２３２７＞
コネクタ保持板２３０６は、コネクタ２３０１を保持するために、保持穴２３０８を形成している。この保持穴２３０８は、コネクタ２３０１のプラグ本体２３０３の横断面形状に合わせて略長方形状になる。この保持穴２３０８は、プラグ本体２３０３の横断面より大きな貫通穴である。この保持穴２３０８の周縁に、更にコネクタ２３０１の抜け止め片を装着の際に通過させる通過用切欠き部２３２５，２３２６，２３２７を数か所形成している。図示例のコネクタ保持板２３０６は２個の保持穴２３０８を開けた状態を示しているが、これは１穴又は３穴あるいはそれ以上であってもよく、２個に限定されない。
【００８１】
保持穴２３０８には、コネクタ２３０１の第３，５抜け止め片２３１２，２３１３とを通過させる略正方形状の第１通過用切欠き部２３２５を形成している。この第１通過用切欠き部２３２５は、第３、５抜け止め片２３１２，２３１３が通過したあとは、その後通過する第１可撓性爪部２３０９の第１位置決め突起部２３１０が飛出し、この第１位置決め突起部２３１０が第１通過用切欠き部２３２５の周縁に当たり、この第１位置決め突起部２３１０が保持穴２３０８の周縁に接し、この保持穴２３０８内でのコネクタ２３０１の長辺方向への動きを規制して、この保持穴２３０８からの離脱を防止するようになる。
【００８２】
更に、コネクタ２３０１の第４抜け止め片２３１４を通過させる略長方形状の第２通過用切欠き部２３２６を形成している。この第２通過用切欠き部２３２６は、第４抜け止め片２３１４が通過したあとは、その後通過する第２可撓性爪部２３１６の第２位置決め突起部２３１７が飛出し、この第２位置決め突起部２３１７が第２通過用切欠き部２３２６の周縁に当たり、この保持穴２３０８内でのコネクタ２３０１の長辺方向への動きを規制して、この保持穴２３０８からの離脱を防止するようになる。
【００８３】
同様にコネクタ２３０１の第６抜け止め片２３１５と第３可撓性爪部２３１８を通過させる略長方形状の第３通過用切欠き部２３２７を形成している。この第３通過用切欠き部２３２７は、第６抜け止め片２３１５と第３可撓性爪部２３１８が通過したあとは、その後通過する第３可撓性爪部２３１８の第３位置決め突起部２３１９が飛出し、この第２位置決め突起部２３１７が第２通過用切欠き部２３２６の周縁に当たり、この保持穴２３０８内でのコネクタ２３０１の長辺方向への動きを規制して、この保持穴２３０８からの離脱を防止するようになる。
【００８４】
＜コネクタ保持板２３０６へコネクタ２３０１の装着と取り外し＞
図１７はコネクタ２３０１をコネクタ保持板２３０６へ装着する状態を示す拡大断面図であり、（ａ）は装着前の状態、（ｂ）は装着中の状態、（ｃ）は可撓性爪部を押し曲げている状態、（ｄ）は装着後の状態である。図１８はコネクタ２３０１をコネクタ保持板２３０６から取り外す状態を示す拡大断面図であり、（ａ）は取り外す前の状態、（ｂ）は取り外し中の状態、（ｃ）は取り外し後の状態である。
このように構成したコネクタ保持板２３０６へコネクタ２３０１を装着するときは、図１７（ａ）に示すように、コネクタ２３０１をそのプラグ本体２３０３を保持穴２３０８に差し込み、この状態で更にコネクタ保持板２３０６の第１通過用切欠き部２３２５から第３抜け止め片２３１２と第５抜け止め片２３１３を通過させようとするが、図１７（ｂ）に示すように、この状態では、第１可撓性爪部２３０９の第１位置決め突起部２３１０が保持穴２３０８に当たり、第３抜け止め片２３１２と第５抜け止め片２３１３は第１通過用切欠き部２３２５の周縁に当たり、完全に通過させ、第３抜け止め片２３１２と第５抜け止め片２３１３を保持穴２３０８の周縁を乗り越えることができない。
同時に第４抜け止め片２３１４と第６抜け止め片２３１５も、第２位置決め突起部２３１７、第３位置決め突起部２３１９が保持穴２３０８に当たり、第２通過用切欠き部２３２６、第３通過用切欠き部２３２７での周縁に当たり、完全に通過させ、第４抜け止め片２３１４と第６抜け止め片２３１５を保持穴２３０８の周縁を乗り越えることができない。
【００８５】
次に、そのまま、コネクタ２３０１を差し込み方向へ押していくと、図１７（ｂ）の状態から図１７（ｃ）の状態のように、第１可撓性爪部２３０９は撓み、第３抜け止め片２３１２と第５抜け止め片２３１３は第１通過用切欠き部２３２５を通過し、保持穴２３０８の周縁を乗り越えることができる。
同時に、第２可撓性爪部２３１６と第３可撓性爪部２３１８は撓み、第４抜け止め片２３１４と第６抜け止め片２３１５も、第２通過用切欠き部２３２６、第３通過用切欠き部２３２７を通過し、保持穴２３０８の周縁を乗り越えることができる。
【００８６】
最後に、図１７（ｄ）に示すように、第２通過用切欠き部２３２６を通過した第４抜け止め片２３１４は所定の方向へずらす（図示する矢印方向）。これで、撓んでいる第２可撓性爪部２３１６の第２位置決め突起部２３１７が第２通過用切欠き部２３２６に飛び出す。この第２位置決め突起部２３１７と第４抜け止め片２３１４が第２通過用切欠き部２３２６を塞ぎ、コネクタ２３０１の長辺方向への動作を規制する。これで第４抜け止め片２３１４が保持穴２３０８に周縁に当たり、抜け止めの機能を奏する。
【００８７】
同様に、第３通過用切欠き部２３２７を通過した第６抜け止め片２３１５を所定の方向へずらす。これで、撓んでいる第３可撓性爪部２３１８の第３位置決め突起部２３１９が第３通過用切欠き部２３２７に飛び出す。この第３位置決め突起部２３１９と第６抜け止め片２３１５が第３通過用切欠き部２３２７を塞ぎ、コネクタ２３０１の長手方向への動作を規制する。これで第６抜け止め片２３１５が保持穴２３０８に周縁に当たり、抜け止めの機能を奏する。
コネクタ保持板２３０６へコネクタ２３０１を装着するときの説明を、個々に説明したが、第１通過用切欠き部２３２５から第３通過用切欠き部２３２７までの各抜け止め片と可撓性爪部の通過は同時に行われる。
【００８８】
コネクタ保持板２３０６からコネクタ２３０１を取り外すときは、上述した手順を逆にすればよい。但し、図１８（ａ）に示すように、コネクタ２３０１をそのプラグ本体２３０３を保持穴２３０８に差し込み、この状態で第１通過用切欠き部２３２５から第３通過用切欠き部２３２７までの各抜け止め片と可撓性爪部の通過は同時に行う必要がある。そこで、図１８（ｂ）に示すように、所定の治具を用いて、３カ所の各可撓性爪部２３０９，２３１６，２３１８の位置決め突起部２３１０，２３１７，２３１９を押し込む（コネクタ２３０１の差し込み方向と反対方向）。その後、コネクタ２３０１をコネクタ保持板２３０６で各抜け止め片が各通過用切欠き部２３２５，２３２６，２３２７を通過できる位置までずらす。通過できる位置まできたら、コネクタ２３０１を抜き取ることができ、取り外しが完了する。
【００８９】
＜コネクタ保持板２３０６によるレセプタクル２３０２への接続状態＞
図１９は遊技盤６１の側方で「位置決め」をしてから嵌合する場合に、コネクタ保持板２３０６に装着したコネクタ２３０１をレセプタクル２３０２に接続する状態を示す拡大平面図である。図２０は遊技盤６１の下部で「位置決め」をしてから嵌合する場合に、コネクタ保持板２３０６に装着したコネクタ２３０１がレセプタクル２３０２に接続する状態を示す拡大側面図である。
図１９の拡大平面図に示すように、このように構成したコネクタ２３０１をコネクタ保持板２３０６に装着して、レセプタクル２３０２に嵌合するように接続する。遊技盤６１の交換に際して、この遊技盤６１を遊技機前面ユニット２３に嵌合しやすいように、遊技機前面ユニット２３の側方に、遊技盤６１の側方を合わせる、いわゆる「位置決め」をしてから嵌合する。遊技盤６１と遊技機前面ユニット２３を嵌合する際に、コネクタ２３０１を、レセプタクル２３０２側に差し込む際にその位置ずれを吸収して適切な位置で嵌合接続できる。コネクタ２３０１の位置決め突起２３１０が回転中心の近い側に形成されているが（図１１参照）、この反対位置にコネクタ２３０１の位置ずれを吸収する弾性部材２３２１をコネクタ保持板２３０６に設けることにより、位置ずれを吸収し易くしている。
【００９０】
更に、コネクタ保持板２３０６は、コネクタ２３０１の長辺方向への位置ずれも吸収することができる。更に、図２０の拡大側面図に示すように、コネクタ保持板２３０６ではコネクタ２３０１の短辺方向への位置ずれも吸収することができる。これにより、コネクタ２３０１をレセプタクル２３０２に差し込む際にその位置ずれを吸収して適切な位置で嵌合接続することができる。
【００９１】
上記図示例では、本発明のコネクタ２３０１を保持するコネクタ保持板２３０６を遊技盤６１側に取り付け、このコネクタ２３０１を接続するレセプタクル２３０２（コネクタ）を遊技機前面ユニット２３側に取り付けた状態を示している。しかし、この配置に限定されず、本発明のコネクタ２３０１を保持するコネクタ保持板２３０６を遊技機前面ユニット２３側に取り付け、このコネクタ２３０１を接続するレセプタクル２３０２を遊技盤６１側に取り付ける反対の配置も可能である。
【００９２】
本発明は、図１９のような嵌合方法に限定されず、遊技機前面ユニット２３の下部に「位置決め」をしてから、遊技盤６１を下方へ落とし込むように嵌合するときは、コネクタ保持板２３０６を９０度回転させた状態で遊技盤６１に取り付ける。このような配置でも、コネクタ２３０１をレセプタクル２３０２に差し込む際にその位置ずれを吸収して適切な位置で嵌合接続することができる。
【００９３】
なお、上述した実施の形態の記載内容に限定されず、例えば次のように実施してもよい。
（１）上記実施の形態では、残存遊技球数が２９個となるように、上下通路ユニット１３４において切換片から払出装置１３５の回転体までの通路長を設定したが、残存遊技球数は２９個に限定されることはなく、単位遊技球数のいずれの整数倍とも一致しない数であれば具体的な数は任意である。例えば、上記実施の形態における単位遊技球数の設定において、残存遊技球数を１７個、１９個、２３個等としてもよい。
【００９４】
（２）入賞口６２〜６５に対する単位遊技球数の設定は、上記実施の形態のものに限定されることはなく、任意である。但し、単位遊技球数の設定を変更した場合には、それら単位遊技球数のいずれの整数倍とも一致しないように残存遊技球数を変更する必要がある。ちなみに、可変入賞装置６３に対する単位遊技球数を１５個に代えて、１４個としてもよい。当該構成であっても、残存遊技球数を２９個とすることで、上記実施の形態と同様の効果を得ることができる。
【００９５】
（３）上記実施の形態では、単位遊技球数が異なる入賞口の種類を４種類としたが、これに限定されることはなく、１種類、２種類、３種類又は５種類以上であってもよい。この場合であっても、残存遊技球数を単位遊技球数のいずれの整数倍とも一致しないようにすることで、上記実施の形態と同様の効果を得ることができる。
【００９６】
（４）上記実施の形態では、図柄表示装置７１を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿９５ａ及び下皿９６ａが設けられているのではなく、単一の受け皿が設けられたパチンコ機にも、本発明を適用できる。
【００９７】
以下、上述した実施の形態から抽出される発明群の特徴について、必要に応じて効果等を示しつつ説明する。
【００９８】
遊技機Ａ
本発明は、パチンコ機、スロットマシンあるいはメダルの代わりに遊技球でスロットマシンの遊技をするパロット等の遊技機に関する。
【００９９】
遊技機例えばパチンコ機を新台に交換する際に、遊技機全体を島の枠構造から取外すのではなく、遊技盤のみを外して交換する構造の遊技機がある。この遊技盤を交換する際に、遊技機の前方からこの遊技盤を遊技機前面ユニットに嵌合する構成になっている。このような交換作業の容易な遊技機について、例えば特許文献２の特開平９−７１４公報「遊技機」が提案されている。
【０１００】
このような遊技盤のみを交換する遊技機について、コネクタを接続する際には、一旦交換した遊技盤はその側方のヒンジ構造を回動中心にして開け、個々にコネクタを接続していた。このような交換作業では、遊技盤の嵌合作業とコネクタの接続作業と２段階の作業が必要であり、遊技盤のみを遊技機の前方から交換する交換作業であっても作業全体の時間を短縮できなかった。
【０１０１】
更に、遊技機の交換に際して、遊技機の前方から遊技盤をこの遊技機前面ユニットに嵌合すると同時にコネクタも接続することができる構成も提案されている。
【０１０２】
【特許文献２】特開平９−７１４
【０１０３】
しかし、遊技盤の交換に際して、この遊技盤を遊技機前面ユニットに嵌合しやすいように、遊技機前面ユニットの側方に、遊技盤の側方を合わせる、いわゆる「位置決め」をしてから嵌合する必要がある。または前面ユニットの下部で「位置決め」をするように、遊技盤を下方へ落とし込むように嵌合する構造のものがある。遊技盤に取り付けられたコネクタを、遊技機前面ユニットに取り付けられたコネクタに差し込む際に位置ずれがあると嵌合接続をすることができないことがあった。
【０１０４】
そのために、例えば差し込む側のコネクタは尖った形状に、差し込まれる側のコネクタはロート形状にしたいわゆる「誘い込み構造」を設ける必要があった。それぞれ遊技盤のコネクタも差し込まれる遊技機前面ユニット側のコネクタ（レセプタクル）にも誘い込み構造を設ける必要があった。
【０１０５】
本発明は、上述した問題点等を解決するために創案されたものである。すなわち、本発明の目的は、遊技盤を遊技機前面ユニットに遊技機の前方から嵌合する遊技盤交換に際して、同時にコネクタを円滑に接続することができる遊技機を提供することにある。
【０１０６】
遊技機Ａ１は、遊技機前面ユニットから遊技盤を取り外すことができる遊技機であって、
前記遊技盤の裏面に取り付けられた、少なくとも遊技機に関する信号の中継を行う信号中継回路が構成されたターミナル基板の配線用の遊技盤側のコネクタと、
前記遊技盤側のコネクタに接続される前記遊技機前面ユニットに取り付けられた遊技機前面ユニット側のコネクタと、を備え、
前記遊技盤側又は遊技機前面ユニット側の何れか一方のコネクタは、所定方向への位置ずれを吸収し得るように、該コネクタが装着される保持穴を開けたコネクタ保持板を介在して該遊技盤又は該遊技機前面ユニットに取り付けられた、ことを特徴とする遊技機。
【０１０７】
遊技機Ａ１では、新台交換に際して遊技盤を遊技機前面ユニットに遊技機の前方から嵌合すると同時にコネクタを円滑に接続することができる。
【０１０８】
遊技機Ａ２は、前記コネクタ保持板は、前記コネクタを保持する保持穴を開けた部材から成り、前記遊技盤と遊技機前面ユニットを嵌合する際に、その位置決めとなる位置を回動中心として、その回動中心位置から遠ざかる方向に向けて高くなるように傾斜面を形成した、ことを特徴とする遊技機Ａ１の遊技機。
遊技機Ａ２では、コネクタ保持板の傾斜面により、遊技機前面ユニットの側方に、遊技盤の側方を合わせる、いわゆる「位置決め」をしてから回動するように嵌合する際に、コネクタ保持板のコネクタの円滑な接続が可能になる。
【０１０９】
遊技機Ａ３は、前記コネクタ保持板は、保持穴において保持される前記コネクタの移動位置を規制する弾性部材を該保持穴の周囲に設けた、ことを特徴とする遊技機Ａ１又はＡ２の遊技機。
遊技機Ａ３では、コネクタ保持板に形成した弾性部材により、コネクタの揺動範囲をある程度規制し、コネクタの移動範囲が広すぎることで、却ってレセプタクル（コネクタ）と芯位置がずれて嵌合させづらくなることを防止することができる。
【０１１０】
遊技機１０、Ａ１〜Ａ３のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１１１】
遊技機１０、Ａ１〜Ａ３のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１２】
遊技機１０、Ａ１〜Ａ３のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１１３】
本発明の遊技機は、主にパチンコ機の遊技機に利用することができるが、外枠等の枠状部材を有する構成の遊技機であれば、パチンコ機以外の様々な遊技機に利用することができる。
【符号の説明】
【０１１４】
１０  遊技機としてのパチンコ機
２３  遊技機前面ユニット
６１  遊技盤
２３０１  コネクタ
２３０２  レセプタクル（コネクタ）
２３０６  コネクタ保持板
２３０８  保持穴
２３０７  第１抜け止め片
２３０９  第１可撓性爪部
２３１０  第１位置決め突起部
２３１１  第２抜け止め片
２３１２  第３抜け止め片
２３１３  第５抜け止め片
２３１４  第４抜け止め片
２３１５  第６抜け止め片
２３１６  第２可撓性爪部
２３１７  第２位置決め突起部
２３１８  第３可撓性爪部
２３１９  第３位置決め突起部
２３２０  位置決め用突片部
２３２１  弾性部材
２３２５  第１通過用切欠き部
２３２６  第２通過用切欠き部
２３２７  第３通過用切欠き部